(57)【特許請求の範囲】
【請求項１】
垂直又は略垂直に立設するコンクリート壁面をウォータージェットによって研掃するコンクリート壁面研掃処理装置に取り付けて用いられるウォータージェット治具であって、
回転可能に設けられたウォータージェット噴射ノズルと、該ウォータージェット噴射ノズルの周囲を囲んで設けられた、正面側が開口面となった略矩形の正面形状を備える中空のカバー体と、該カバー体における前記略矩形の正面形状の下辺部分の側壁部に吸引口を接続開口させて、前記カバー体の下方に配設された吸引装置とを備えており、
前記カバー体における前記略矩形の正面形状の両側の側辺部分の側壁部、及び上辺部分の側壁部は、内側壁及び外側壁からなる２重壁構造を備えていて、これらの内側壁及び外側壁の各先端部には、前方に突出するブラシ部材が設けられており、
前記カバー体における前記略矩形の正面形状の両側の側辺部分の側壁部、及び上辺部分の側壁部の、前記２重壁構造の間の部分に他端部を各々開口させて、一端部が前記吸引装置と接続する枝管が、複数本設けられているウォータージェット治具。
【請求項２】
前記外側壁の先端部から前方に突出するブラシ部材の先端は、前記内側壁の先端部から前方に突出するブラシ部材の先端よりも前方に突出している請求項１記載のウォータージェット治具。
【請求項３】
前記外側壁の先端部から前方に突出するブラシ部材の先端は、前記内側壁の先端部から前方に突出するブラシ部材の先端よりも１０〜２０ｍｍ前方に突出している請求項２記載のウォータージェット治具。
【請求項４】
前記枝管の他端部は、前記カバー体の前記開口面とは反対側の底部において、前記２重壁構造の間の部分に開口している請求項１〜３のいずれか１項の記載のウォータージェット治具。
【請求項５】
前記カバー体における前記略矩形の正面形状の下辺部分の側壁部には、両側の前記側辺部分の側壁部から前記吸引装置の吸引口の接続箇所に向けて各々斜めに延設する、傾斜壁が設けられており、該傾斜壁の先端部に、前方に突出するブラシ部材が設けられている請求項１〜４のいずれか１項記載のウォータージェット治具。
【発明の詳細な説明】
【技術分野】
【０００１】
本発明は、ウォータージェット治具に関し、特にコンクリート壁面をウォータージェットによって研掃するコンクリート壁面研掃処理装置に取り付けて用いられるウォータージェット治具に関する。
【背景技術】
【０００２】
近年、コンクリートの表面に付着した汚れや有害物質等を除去したり、コンクリートの打継ぎの際に既設のコンクリートの表面を目粗ししたり、コンクリートの表面を覆って塗布された防護剤や止水剤等のコーティング剤を新たに塗布し直す際に劣化した塗膜やコンクリートの表層部分を除去したりするために、ウォータージェットによってコンクリートの壁面を研掃する方法が採用されている。
【０００３】
また、ウォータージェットによってコンクリートの壁面やその他の壁面を研掃する作業は、複数の圧力水の噴射孔が設けられたウォータージェットガンや、バキューム機能付きの小型のウォータージェット処理装置を使用して、人力による操作で行われていたが、人力による操作では、効率良く作業を行うことができないことから、ウォータージェット噴射ノズルを備える装置を自動制御して、コンクリートの壁面やその他の壁面の研掃作業を効率良く行えるようにした研掃装置が種々開発されている（例えば、特許文献１、特許文献２参照）。
【０００４】
特許文献１のコンクリート表面研掃装置は、水平又は略水平に敷設されたコンクリート舗装の路面を研掃する装置であり、回転可能に設けられたウォータージェット噴射ノズルの周囲を囲んで配設されたケーシングの底部開口面の周縁部に、斫りガラおよび斫りに使用された高圧水を真空吸引するためのスリットと、スリットの廻りに取り付けられて舗装面との間をシールして負圧を維持するゴム板等のシール材とを備えた真空吸引機が設けられている。特許文献２の表面付着物の研掃装置は、焼却炉等における垂直又は略垂直に立設する壁面に高圧水を噴射して、壁の表面に付着した汚染物質を研掃して除去する装置であり、回転可能に設けられたウォータージェット噴射ノズルの周囲を囲んで配設された、正面側が開口面となった略円形の正面形状を備える中空の外周カバーの下部周壁部に、バキュームホースを接続して、ウォータージェットによって剥離された汚染物質とクリンカーの破片とを含む排水をバキュームホースによって吸引排出するようになっている。また、特許文献２の表面付着物の研掃装置は、外周カバーの正面側の開口面の周縁部に、前方に突出するミスト飛散防止ブラシが設けられており、このミスト飛散防止ブラシを壁面に密着させて、壁面と外周カバーとの間に隙間ができないようにすることで、ミストが外周カバーの外側に飛散するのを防止するようになっている。
【先行技術文献】
【特許文献】
【０００５】
【特許文献１】特開２０００−１４１３５４号公報
【特許文献２】特開２００５−２５４１５６号公報
【発明の概要】
【発明が解決しようとする課題】
【０００６】
特許文献２に記載の垂直又は略垂直に立設する壁面の研掃装置は、例えば焼却炉や下水施設等において、耐火煉瓦やコンクリートの表面に付着した汚染物質を除去することを目的として壁面の研掃を行なうものであり、高圧ホースを介してウォータージェット噴射ノズルに圧送される高圧水は、主に１０〜１００ＭＰａ程度の圧力に設定して圧送されるようになっており、高圧水の圧力を１０〜１００ＭＰａ程度の圧力に設定した場合には、バキュームホースとミスト飛散防止ブラシとによって、ミストが外周カバーの外部へ飛散するのを効果的に防止することが可能である。
【０００７】
しかしながら、垂直又は略垂直に立設する壁面に付着した汚れや有害物質等を除去するだけでなく、例えばコンクリートの表面を覆って塗布された防護剤や止水剤等のコーティング剤の劣化した塗膜や、コンクリートの表層部分を除去したりするために、高圧水の圧力を例えば１００〜２５０ＭＰａ程度の高い圧力に設定してウォータージェットによってコンクリート壁面を研掃する場合には、特許文献２の研掃装置に設けられたバキュームホースとミスト飛散防止ブラシだけでは、ミストの飛散を十分に防止することが困難になる。また特に、吸引装置の吸引口の接続箇所であるカバー体の下部周壁部から離れた、側部や上部の周壁部においてカバー体の外部にミストが飛散しやすくなって、作業に支障を来たすことになりやすい。
【０００８】
本発明は、コンクリートの表面を覆って塗布された防護剤や止水剤等のコーティング剤の劣化した塗膜や、コンクリートの表層部分を高い圧力の高圧水で除去する場合でも、ウォータージェットによってコンクリート壁面を研掃する際に生じるミストがカバー体の外部へ飛散するのを効果的に防止することのできる、コンクリート壁面研掃処理装置に取り付けて用いられるウォータージェット治具を提供することを目的とする。
【課題を解決するための手段】
【０００９】
本発明は、垂直又は略垂直に立設するコンクリート壁面をウォータージェットによって研掃するコンクリート壁面研掃処理装置に取り付けて用いられるウォータージェット治具であって、回転可能に設けられたウォータージェット噴射ノズルと、該ウォータージェット噴射ノズルの周囲を囲んで設けられた、正面側が開口面となった略矩形の正面形状を備える中空のカバー体と、該カバー体における前記略矩形の正面形状の下辺部分の側壁部に吸引口を接続開口させて、前記カバー体の下方に配設された吸引装置とを備えており、前記カバー体における前記略矩形の正面形状の両側の側辺部分の側壁部、及び上辺部分の側壁部は、内側壁及び外側壁からなる２重壁構造を備えていて、これらの内側壁及び外側壁の各先端部には、前方に突出するブラシ部材が設けられており、前記カバー体における前記略矩形の正面形状の両側の側辺部分の側壁部、及び上辺部分の側壁部の、前記２重壁構造の間の部分に他端部を各々開口させて、一端部が前記吸引装置と接続する枝管が、複数本設けられているウォータージェット治具を提供することにより、上記目的を達成したものである。
【００１０】
そして、本発明のウォータージェット治具は、前記外側壁の先端部から前方に突出するブラシ部材の先端が、前記内側壁の先端部から前方に突出するブラシ部材の先端よりも前方に突出していることが好ましい。
【００１１】
また、本発明のウォータージェット治具は、前記外側壁の先端部から前方に突出するブラシ部材の先端は、前記内側壁の先端部から前方に突出するブラシ部材の先端よりも１０〜２０ｍｍ前方に突出していることが好ましい。
【００１２】
さらに、本発明のウォータージェット治具は、前記枝管の他端部が、前記カバー体の前記開口面とは反対側の底部において、前記２重壁構造の間の部分に開口していることが好ましい。
【００１４】
また、本発明のウォータージェット治具は、前記カバー体における前記略矩形の正面形状の下辺部分の側壁部には、両側の前記側辺部分の側壁部から前記吸引装置の吸引口の接続箇所に向けて各々斜めに延設する、傾斜壁が設けられており、該傾斜壁の先端部に、前方に突出するブラシ部材が設けられていることが好ましい。
【発明の効果】
【００１５】
本発明のコンクリート壁面のウォータージェット治具によれば、垂直又は略垂直に立設するコンクリート壁面をウォータージェットによって研掃するコンクリート壁面研掃処理装置に取り付けて用いられ、コンクリートの表面を覆って塗布された防護剤や止水剤等のコーティング剤の劣化した塗膜や、コンクリートの表層部分を、例えば１００〜２５０ＭＰａ程度の高い圧力の高圧水で除去する場合でも、ウォータージェットによってコンクリート壁面を研掃する際に生じるミストがカバー体の外部へ飛散するのを効果的に防止することができる。
【図面の簡単な説明】
【００１６】
【図１】本発明の好ましい一実施形態に係るウォータージェット治具が取り付けられたコンクリート壁面研掃処理装着の構成を説明する、（ａ）は略示側面図、（ｂ）はコンクリート壁面側から見た略示正面図である。
【図２】本発明の好ましい一実施形態に係るウォータージェット治具が取り付けられたコンクリート壁面研掃処理装着の構成を説明する、（ａ）は略示側面図、（ｂ）はコンクリート壁面側から見た略示正面図である。
【図３】本発明の好ましい一実施形態に係るウォータージェット治具が取り付けられたコンクリート壁面研掃処理装着の側面図である。
【図４】本発明の好ましい一実施形態に係るウォータージェット治具が取り付けられたコンクリート壁面研掃処理装着の、縦方向スライドガイド部を延ばした状態の側面図である。
【図５】本発明の好ましい一実施形態に係るウォータージェット治具の要部正面図である。
【図６】図５のＡ−Ａに沿った拡大略示断面図である。
【図７】本発明の好ましい一実施形態に係るウォータージェット治具の要部側面図である。
【図８】本発明の好ましい一実施形態に係るウォータージェット治具の要部底面図である。
【発明を実施するための形態】
【００１７】
本発明の好ましい一実施形態に係るウォータージェット治具１０は、図１（ａ），（ｂ）及び図２（ａ），（ｂ）に示すように、例えば垂直又は略垂直に立設するコンクリート壁面（柱の壁面を含む）２０を、ウォータージェットによって研掃するコンクリート壁面研掃処理装置１３に取り付けて用いられる。本実施形態では、コンクリート壁面研掃処理装置１３は、コンクリート構造物として、例えば地中に形成された大規模空間である、水道水や雨水や排水等を貯留するための貯水槽において、これの内部の垂直又は略垂直に立設する広大な面積のコンクリート壁面２０に塗布された防護剤や止水剤等のコーティング剤の塗膜が、長期間の貯水槽の使用によって劣化して、新たにコーティング剤を塗布し直す必要が生じた際に、コーティング剤を塗布する作業に先立って、コンクリート壁面２０をウォータージェットによって研掃して、所望の研掃状態で劣化した塗膜を効率良く除去できるようにするための装置として採用されたものである。また、本実施形態では、コンクリート壁面研掃処理装置１３は、貯水槽の水平な底面に対しては、例えば道路の舗装面を研掃する公知の装置を採用して、効率良く研掃作業を行うことが可能であり、貯留槽の水平な天井面に対しては、足場の確保が容易ではなく、他の特別の装置を必要とすることから、これらを対象外として、特に、例えば５〜８ｍ程度の相当の高さで垂直又は略垂直に立設する貯留槽のコンクリ−ト壁面２０に対して、効率良く研掃作業を行えるようにするための装置として採用されたものである。
【００１８】
そして、本実施形態のウォータージェット治具１０は、図３〜図８にも示すように、垂直又は略垂直に立設するコンクリート壁面２０をウォータージェットによって研掃するコンクリート壁面研掃処理装置１３に取り付けて用いられる治具であって、回転可能に設けられたウォータージェット噴射ノズル１１と、ウォータージェット噴射ノズル１１の周囲を囲んで設けられた、正面側が開口面となった略矩形の正面形状を備える中空のカバー体１２と、カバー体１２における略矩形の正面形状の下辺部分の側壁部５３に吸引口５１を接続して設けられた吸引装置５２とを備えており（図５〜図８参照）、カバー体１２における、少なくとも略矩形の正面形状の両側の側辺部分の側壁部５４，５４、及び上辺部分の側壁部５５は、内側壁５４ａ，５５ａ及び外側壁５４ｂ，５５ｂからなる２重壁構造を備えていて、これらの内側壁５４ａ，５５ａ及び外側壁５４ｂ，５５ｂの各先端部には、前方に突出するブラシ部材２９ａ，２９ｂが設けられており（図６参照）、２重壁構造の間の部分には、一端部が吸引装置５２と接続する枝管５６の他端部が、補助吸引口５７として開口している（図５参照）。
【００１９】
また、本実施形態では、カバー体１２における略矩形の正面形状の下辺部分の側壁部５３には、両側の側辺部分の側壁部５４，５４から吸引装置５２の吸引口５１の接続箇所に向けて各々斜めに延設する、傾斜壁５８，５８が設けられており、この傾斜壁５８，５８の先端部に、前方に突出するブラシ部材２９ｄが設けられている。
【００２０】
本実施形態では、ウォータージェット治具１０が取り付けられるコンクリート壁面研掃処理装置１３は、本願出願人の出願に係る特願２０１０−１６５６７１号に記載のコンクリート壁面の表面研掃処理装置と同様の構成を備えている。すなわち、コンクリート壁面研掃処理装置１３は、図１〜図４に示すように、ウォータージェット治具１０を壁面２０に沿ってスライド移動させてコンクリート壁面２０の研掃を行なう研掃処理装置であって、ベースマシン１４と、縦方向スライドガイド部１６と、横方向スライドガイド部１９と、ウォータージェット治具１３とを含んで構成されている。また、ベースマシン１４は、支持架台２１が設置される基台部２３と、基台部２３を移動させる走行部２２とからなり、縦方向スライドガイド部１６は、支持架台２１のコンクリート壁面２０と対向させる部分に固定される縦方向固定ガイド部１７と、縦方向固定ガイド部１７に沿って縦方向に昇降可能に取り付けられる昇降ガイド部１８とからなる。横方向スライドガイド部１９は、ウォータージェット治具１３のカバー体１２の横巾の少なくとも略３倍の横方向の長さを有すると共に、昇降ガイド部１８に沿って縦方向に昇降可能に取り付けられており、ウォータージェット治具１０は、カバー体１２を保持するカバー体支持枠２４が横方向スライドガイド部１９に沿ってスライドすることにより、横方向スライドガイド部１９に沿って横方向に移動可能に取り付けられている。さらに、ウォータージェット噴射ノズル１１をコンクリート壁面２０と対向配置させたベースマシン１４の各据付け位置で、縦方向固定ガイド部１７に沿った昇降ガイド部１８の昇降移動と、昇降ガイド部１８に沿った横方向スライドガイド部１９の昇降移動と、横方向スライドガイド部１９に沿ったウォータージェット治具１３の横方向の移動とを制御して、ウォータージェット噴射ノズル１１から高圧水をコンクリート壁面２０に向けて噴射させながら、ウォータージェット治具１０を一定又は略一定の速度で上下左右に移動させて、少なくともカバー体１２の横巾の略３倍の研掃巾で、ベースマシン１４の各据付け位置においてコンクリート壁面２０の下端部から上端部に至る領域の研掃作業を行なうようになっている（図１、図２参照）。
【００２１】
コンクリート壁面研掃処理装置１３を構成するベースマシン１４は、図３及び図４に示すように、例えばキャタピラ形式の走行部２２と、ターンテーブルを介して走行部２２に対して回動可能に設けられた基台部２３とからなる、例えばバックフォーに用いるベースマシンと略同様の公知の機構を備えるものである。ベースマシン１４の基台部２３は、好ましくは矩形平面形状を備えている。基台部２３には、例えば六面体形状に組み付けられた鋼製枠からなる支持枠体２１が、基台部２３の上面に取り付けられた好ましくは一対のレール部材４０の上に載置されて、レール部材４０に沿ってコンクリート壁面２０と対向する方向Ｘ（図３参照）に進退可能に設置されている。
【００２２】
すなわち、支持枠体２１は、これの底枠部２１ｂから下方に突出して設けられた複数のスライド脚部４１をレール部材４０にスライド可能に各々係止して、当該レール部材４０によって案内されるようになっている。また支持枠体２１は、例えば両側の一対のレール部材４０の中間部分において底枠部２１ｂから下方に突出して設けられたジャッキ連結リブ４２と連結して、基台部２３の後端部に取り付けられた好ましくは油圧ジャッキ４４の駆動力によって、コンクリート壁面２０に対して例えば４００ｍｍ程度のストロークで、コンクリート壁面２０と対向する方向Ｘに進退スライド可能に設置されている。
【００２３】
支持枠体２１が、基台部２３に取り付けられたレール部材４０に沿って進退可能に設置されていることにより、各据付け位置において、ウォータージェット治具１０をコンクリート壁面２０に対向させてベースマシン１４を据付けた後に、ウォータージェット治具１０を前進させて、カバー体１２の先端の周縁ブラシ部材２９ａ，２９ｂ，２９ｃ，２９ｄがコンクリート壁面２０に接触するように制御する操作を、精度良く容易に行うことが可能になる。
【００２４】
また、本実施形態では、支持枠体２１のコンクリート壁面２０に面して配置される前方の一対の縦枠部２１ａには、縦方向スライドガイド部１６の縦方向固定ガイド部１７の一対の縦枠部材１７ａが、基台部２３に対して垂直に立設して、溶接接合やボルト接合等によって縦枠部２１ａに沿って各々接合固定されている。また、基台部２３には、好ましくは支持枠体２１の内部に配設されて、油圧駆動機構、コンプレッサ、バッテリー、制御装置、コントロールボックス等を備える駆動制御ユニット（図示せず）が、支持枠体２１と共にコンクリート壁面２０と対向する方向Ｘに進退スライド可能に設置されている。
【００２５】
縦方向スライドガイド部１６は、支持枠体２１の縦枠部２１ａに沿って固定された一対の縦枠部材１７ａを含む縦方向固定ガイド部１７と、縦長矩形の枠形状の昇降ガイド部１８とからなる。縦方向固定ガイド部１７は、上述のように支持枠体２１の一対の縦枠部２１ａに支持固定されて、縦枠部材１７ａが垂直に立設するように取り付けられる。昇降ガイド部１８は、例えばチェーンやスプロケットからなる公知の移動駆動機構を介して、縦方向固定ガイド部１７に昇降可能に取り付けられる。昇降ガイド部１８は、その両側の一対の縦枠部材１８ａを縦方向固定ガイド部１７の両側の一対の縦枠部材１７ａに沿わせるようにして、当該一対の縦枠部材１７ａをガイドとして上下にスライド移動することができるようになっている。また、昇降ガイド部１８の縦枠部材１８ａには、横方向スライドガイド部１９を上下方向にスライド可能に案内する縦方向案内レール１８ｂが取り付けられている。
【００２６】
横方向スライドガイド部１９は、図１及び図２にも示すように、横長矩形の枠形状のフレーム部材からなり、上述のように、ウォータージェット治具１０のカバー体１２の横巾の略３倍の横方向の長さを有している。横方向スライドガイド部１９は、水平又は略水平に延設させた状態で、その中央部分の背面側が、昇降ガイド部１８の一対の縦枠部材１８ａに取り付けられた縦方向案内レール１８ｂに跨って上下にスライド移動可能に接合されることにより、その両側部を昇降ガイド部１８の外側に張り出させた状態で、昇降ガイド部１８に取り付けられる。横方向スライドガイド部１９は、例えばチェーン５０ａやスプロケット５０ｂからなる公知の移動駆動機構により牽引されて、一対の縦枠部材１８ａの縦方向案内レール１８ｂにガイド治具をガイドさせながら、昇降ガイドフレーム１８に対して上下にスライド移動することができるようになっている。また、横方向スライドガイド部１９には、ウォータージェット治具１０の左右方向への移動を案内する横方向案内レール（図示せず）が取り付けられており、この横方向案内レールに沿ってウォータージェット治具１０を左右方向へ走行移動させることができるようになっている。
【００２７】
これらよって、ウォータージェット治具１０をコンクリート壁面２０と対向配置させたベースマシン１４の各据付け位置で、図３及び図４に示すように、縦方向固定ガイド部１７に沿った昇降ガイド部１８の昇降移動と、昇降ガイド部１８に沿った横方向スライドガイド部１９の昇降移動とを制御して、コンクリート壁面２０の下端部と上端部との間で、ウォータージェット治具１０を上下方向に容易にスライド移動させることが可能になる。また、図１（ｂ）及び図２（ｂ）に示すように、横方向スライドガイド部１９に沿ったウォータージェット治具１０の横方向の移動を制御して、少なくともカバー体１２の横巾の略３倍の研掃巾で、ウォータージェット治具１３を左右方向に容易にスライド移動させることが可能になる。
【００２８】
ウォータージェット治具１０は、本実施形態では、図３〜図７に示すように、回転可能に設けられたウォータージェット噴射ノズル１１と、ウォータージェット噴射ノズル１１の周囲を囲んで設けられた、正面側が開口面となった略矩形の正面形状を備える中空のカバー体１２と、カバー体１２における略矩形の正面形状の下辺部分の側壁部５３に吸引口５１を接続して設けられた吸引装置５２とを備えている（図５参照）。ウォータージェット治具１０は、さらに、カバー体１２と一体として設けられたカバー体支持枠２４と、横方向スライドガイド部１９の横枠部材にスライド可能に取り付けられるスライド基部２５と、スライド基部２５に対してカバー体支持枠２４を進退可能に位置決めする位置決め間隔調整機構２６とを含んで構成される（図３、図４参照）。
【００２９】
ウォータージェット噴射ノズル１１は、例えばコンクリート面や舗装面の研掃を行う際に使用される公知のノズル部材である。本実施形態では、ウォータージェット噴射ノズル１１は、図５に示すように、カバー体１２に一対設けられた、例えばエアモータや電動モータからの駆動力によって回転する回転シャフト１１ａの先端から、放射方向に延設して、各回転シャフト１１ａに複数本設けられている。ウォータージェット噴射ノズル１１は、各回転シャフト１１ａの回転によって回転しながら、高圧水供給装置（図示せず）から高圧ホースを介して圧送される例えば１００〜２５０ＭＰａ程度に加圧された高圧水を、先端の噴射口からコンクリート壁面２０に向けて噴射することで、コンクリート壁面２０を研掃する。また回転シャフト１１ａは、カバー体１２の開口面に対して進退可能に構成されており、これによって、ウォータージェット噴射ノズル１１とコンクリート壁面２０との間の間隔を適宜調整できるようになっている。
【００３０】
カバー体１２は、本実施形態では、例えばステンレス板によって形成された、正面側が開口面となった扁平な中空の略六面体形状の函体であり、例えば縦巾４７０ｍｍ程度、横巾７２０ｍｍ程度の大きさの横長矩形の正面形状を有すると共に、例えば１００ｍｍ程度の奥行きを有している。カバー体１２の内側には、上述のように、一対の回転シャフト１１ａに回転可能に支持されて、例えば各々４本のウォータージェット噴射ノズル１１が、好ましくはその長さを異ならせた状態で、周方向に９０°の等角度ピッチで回転シャフト１１ａを中心とする放射方向に延設して設けられている。また、カバー体１２は、カバー体支持枠２４に一体として取り付けられており、位置決め間隔調整機構２６を構成するエアシリンダー２７によって（図３参照）、カバー体支持枠２４と共に、コンクリート壁面１０に対して例えば位置決めされた位置から前後方向に７５ｍｍづつ、合計１５０ｍｍ程度のストロークで弾性的に進退移動することができるようになっている。
【００３１】
そして、本実施形態では、図５〜図８に示すように、カバー体１２における、少なくとも略矩形の正面形状の両側の側辺部分の側壁部５４，５４、及び上辺部分の側壁部５５は、内側壁５４ａ，５５ａ及び外側壁５４ｂ，５５ｂからなる２重壁構造を備えていて、これらの内側壁５４ａ，５５ａ及び外側壁５４ｂ，５５ｂの各先端部には、前方に突出するブラシ部材２９ａ，２９ｂが設けられており、２重壁構造の間の部分には、一端部が吸引装置５２と接続する枝管５６の他端部が、補助吸引口５７として開口している。
【００３２】
本実施形態では、カバー体１２は、図５に示すように、ウォータージェット噴射ノズル１１を回転可能に支持する一対の回転シャフト１１ａが前方に突出する、略矩形形状の底板壁５９を備えるカバー体本体部１２ａと、カバー体本体部１２ａの左右の側辺部及び上辺部に沿った略コの字形の正面形状を備えるカバー体枠部１２ｂとからなる。カバー体本体部１２ａとカバー体枠部１２ｂとは、図６にも示すように、接合ボルト６０を介して一体として接合されている。
【００３３】
カバー体本体部１２ａは、略矩形形状の底板壁５９の両側の側縁部から、側辺部内側壁５４ａ，５４ａを前面側に立設させると共に、上縁部から、上辺部内側壁５５ａを前面側に立設させている。略矩形形状の底板壁５９の下辺部分は、図５に示すように、その中央部分を下方に向けて扁平な略倒立等脚台形状に突出させた形状を備えており、この略倒立等脚台形状の下方突出部分５９ａを含んだ底板壁５９の下縁部には、前面側に立設させて、カバー体１２の下辺部分の側壁部５３を構成する下辺部側壁６１が設けられている。この下辺部側壁６１における、下方突出部分５９ａの略倒立等脚台形状の頂辺部に配置された頂部側壁部６１ａに、吸引装置５２の吸引口５１が接続されて開口している。
【００３４】
カバー体枠部１２ｂは、カバー体本体部１２ａの両側の側辺部内側壁５４ａ，５４ａ及び上辺部内側壁５５ａが連続する形状に沿った、略コの字形の正面形状を備える接合プレート６２と、接合プレート６２の外側に間隔をおいて配置された、略コの字形に連続する、両側の側辺部分の側辺部外側壁５４ｂ，５４ｂ及び上辺部分の上辺部外側壁５５ｂとを、カバー体１２の開口面とは反対側の底部を構成する略コの字形の正面形状を備える底板６３によって連結した、断面略コの字形状の枠体として形成される（図６参照）。カバー体枠部１２ｂは、接合プレート６２をカバー体本体部１２ａの側辺部内側壁５４ａ，５４ａ及び上辺部内側壁５５ａに外側から重ね合わせて、接合ボルト６０を用いて側辺部内側壁５４ａ，５４ａや上辺部内側壁５５ａに接合することで、カバー体本体部１２ａに一体として取り付けられる。
【００３５】
また、本実施形態では、カバー体枠部１２ｂの底板６３は、両側の側辺部分の中央部及び上辺部分の中央部の３箇所において、外側に向けて扁平な略等脚台形状に突出させた外方突出部分６３ａを備えており、当該外方突出部分６３ａにおいて、側辺部外側壁５４ｂ，５４ｂや上辺部外側壁５５ｂは、略等脚台形状の縁部に沿った外殻形状で立設している（図５参照）。本実施形態では、外方突出部分６３ａが設けられた、カバー体枠部１２ｂの底板６３における両側の側辺部分の中央部及び上辺部分の中央部の３箇所に、後述する吸引装置５２と接続した枝管５６の他端部の補助吸引口５７が開口している。なお、本実施形態では、略コの字形の正面形状を備えるカバー体枠部１２ｂの両端の妻部には、妻板６４が立設配置されていて、当該妻部における側辺部外側壁５４ｂ，５４ｂと接合プレート６２（側辺部内側壁５４ａ，５４ａ）との間の間隔部分を閉塞している。
【００３６】
さらに、本実施形態では、カバー体１２における略矩形の正面形状の下辺部分の側壁部５３には、両側の側辺部分の側壁部５４，５４から、吸引装置５２の吸引口５１が接続された頂部側壁部６１ａに向けて各々斜めに延設する、傾斜壁５８，５８が設けられている。傾斜壁５８，５８は、一端部を両側の側壁部５３の下端部分に近接配置すると共に、他端部をカバー体本体部１２ａの下辺部側壁６１の傾斜側壁部６１ｂの上端部分に重ね合わせるように配置することで、当該下辺部側壁６１の傾斜側壁部６１ｂと共に、吸引装置５２の吸引口５１の接続箇所である下辺部側壁６１の頂部側壁部６１ａに向けて、各々斜めに延設して設けられている。
【００３７】
そして、本実施形態では、カバー体１２の下辺部分の側壁部５３や両側の側辺部分の側壁部５４，５４や上辺部分の側壁部５５には、カバー体１２の周囲を囲うようにして、例えば合成樹脂製や金属製の多数の線材からなるブラシ部材２９ａ，２９ｂ，２９ｃ，２９ｄが、下辺部側壁６１や内側壁５４ａ，５５ａや外側壁５４ｂ，５５ｂや傾斜壁５８，５８の先端部から前方に突出させて設けられている。また特に、内側壁５４ａ，５５ａと外側壁５４ｂ，５５ｂとからなる２重壁構造を備える両側の側辺部分の側壁部５４，５４、及び上辺部分の側壁部５５では、これらの内側壁５４ａ，５５ａ及び外側壁５４ｂ，５５ｂの各先端部から前方に突出して、内側ブラシ部材２９ａ及び外側ブラシ部材２９ｂが２重壁構造となるように各々設けられている。
【００３８】
すなわち、内側ブラシ部材２９ａは、図６に示すように、例えばカバー体本体部１２ａの両側の側辺部内側壁５４ａ，５４ａ及び上辺部内側壁５５ａの内側に重ねるようにして、内側ブラシ部材２９ａを挟み込んだ状態で保持する挟込み金物６５ａを配置すると共に、カバー体枠部１２ｂをカバー体本体部１２ａに取り付ける際に用いる接合ボルト６０を、挟込み金物６５ａを貫通させて締め付けることによって、側辺部内側壁５４ａ，５４ａや上辺部内側壁５５ａの内側に取り付けられる。本実施形態では、内側ブラシ部材２９ａは、好ましくはナイロン６６からなるφ０．５ｍｍの多数の線材を用いて形成され、側辺部内側壁５４ａ，５４ａ及び上辺部内側壁５５ａに沿って例えば１５ｍｍ程度の幅で連続すると共に、これらの先端部から２０ｍｍ程度の突出高さで前方に突出させた状態で取り付けられている。
【００３９】
外側ブラシ部材２９ｂは、例えばカバー体枠部１２ｂによる両側の側辺部外側壁５４ｂ，５４ｂ及び上辺部外側壁５５ｂの外側に重ねるようにして、外側ブラシ部材２９ｂを挟み込んだ状態で保持する挟込み金物６５ｂを配置する共に、挟込み金物６５ｂを貫通させて締付ボルト６６を締め付けることによって、側辺部外側壁５４ｂ，５４ｂ及び上辺部外側壁５５ｂの外側に取り付けられる。本実施形態では、外側ブラシ部材２９ｂは、好ましくはナイロン６６からなるφ０．３ｍｍの多数の線材を用いて形成され、側辺部外側壁５４ｂ，５４ｂ及び上辺部内側壁５５ｂに沿って例えば１５ｍｍ程度の幅で連続すると共に、これらの先端部から３０〜４０ｍｍ程度の突出高さで前方に突出させた状態で取り付けられている。これによって、本実施形態では、外側ブラシ部材２９ｂの先端は、側辺部内側壁５４ａ，５４ａや上辺部内側壁５５ａの先端部から前方に突出する内側ブラシ部材２９ａの先端よりも、好ましくは１０〜２０ｍｍ程度の突出高さｈで前方に突出することになる。
【００４０】
下辺部ブラシ部材２９ｃは、内側ブラシ部材２９ａと同様に、例えばカバー体本体部１２ａの下辺部側壁６１の頂部側壁部６１ａを除いた傾斜側壁部６１ｂを含む部分の内側に重ねるようにして、下辺部ブラシ部材２９ｃを挟み込んだ状態で保持する挟込み金物６５ｃを配置すると共に、挟込み金物６５ｃを貫通させて締付ボルト６６を締め付けることによって、下辺部側壁６１の内側に取り付けられる。本実施形態では、下辺部ブラシ部材２９ｃは、好ましくはナイロン６６からなるφ０．５ｍｍの多数の線材を用いて形成され、頂部側壁部６１ａを除いた下辺部側壁６１に沿って例えば１５ｍｍ程度の幅で連続すると共に、これの先端部から２０ｍｍ程度の突出高さで前方に突出させた状態で取り付けられている。
【００４１】
傾斜部ブラシ部材２９ｄは、例えばカバー体本体部１２ａの両側の傾斜壁５８，５８の外側に重ねるようにして、傾斜部ブラシ部材２９ｄを挟み込んだ状態で保持する挟込み金物６５ｄを配置すると共に、挟込み金物６５ｄを貫通させて締付ボルト６６を締め付けることによって、傾斜壁５８，５８の外側に取り付けられる。本実施形態では、傾斜部ブラシ部材２９ｄは、好ましくはナイロン６６からなるφ０．５ｍｍの多数の線材を用いて形成され、傾斜壁５８，５８に沿って例えば１５ｍｍ程度の幅で連続すると共に、これの先端部から２０ｍｍ程度の突出高さで前方に突出させた状態で取り付けられている。
【００４２】
本実施形態では、吸引装置５２は、粉塵やミスト等を吸引可能な公知のバキューム装置であって、吸引配管６７の上端の吸引口５１をカバー体１２の下辺部分の側壁部５３を構成する下辺部側壁６１の頂部側壁部６１ａに接続開口させて、カバー体１２の下方に配設されている。吸引装置５２の下流側には、排出配管６８が接続しており、吸引装置５２によって吸引された、ウォータージェットによるコンクリート壁面２０の研掃時に生じる研掃屑や粉塵、ミスト等を、後方に設置した処置装置（図示せず。）に向けて排出できるようになっている。また、吸引装置５２の背面側の側面部には、図６及び図７にも示すように、複数の接続ソケット６９ａが突出して設けられており、これらの接続ソケット６９ａに一端部が装着されることで、複数（本実施形態では３本）の枝管５６が、吸引装置５２に接続されている。
【００４３】
枝管５６は、例えば内径が３５ｍｍ程度の大きさの、可撓性を備える耐圧管からなる。枝管５６は、一端部を吸引装置５２に設けられた接続ソケット６９ａに各々装着すると共に、他端部を、カバー体枠部１２ｂの底板６３の、外方突出部分６３ａが設けられた部分の背面側に突出して設けられた接続ソケット６９ｂに各々装着することで、ウォータージェット治具１０に取り付けられている。これによって、枝管５６の他端部は、補助吸引口５７として、カバー体枠部１２ｂの両側の側辺部分の中央部及び上辺部分の中央部の３箇所において、外方突出部分６３ａが設けられた部分の底板６３に開口する。またこれによって、枝管５６は、これの他端部を、カバー体１２における略矩形の正面形状の両側の側辺部分の側壁部５４，５４、及び上辺部分の側壁部５５において、内側壁５４ａ，５５ａと外側壁５４ｂ，５５ｂとからなる２重壁構造の間の部分に各々開口させて、複数本（本実施形態では３本）設けられることになる。
【００４４】
本実施形態では、カバー体を保持するカバー体支持枠２４は、図３及び図４に示すように、例えば山形鋼や角形パイプ部材を組み付けて、略六面体の立体骨組形状に形成される枠体である。カバー体支持枠２４には、コンクリート壁面２０と対向して配置される部分に、上述のように内側にウォータージェット噴射ノズル１１が取り付けられたカバー体１２が、これの開口面を前方に向けて配置した状態で接合固定される。これによって、カバー体１２は、カバー体支持枠２４によって強固に支持されて、これと一体となって上下左右及び前後に移動することになる。
【００４５】
また、本実施形態では、カバー体支持枠２４の上部及び下部には、これの上方及び下方に突出して接合固定された車輪支持ブラケットに支持されて、上部車輪３１ａ及び下部車輪３１ｂが、カバー体１２を挟んだ上方及び下方に配置されて、各々一対設けられている。上部車輪３１ａ及び下部車輪３１ｂは、コンクリート壁面２０への近接方向先端が、コンクリート壁面２０と対向するカバー体１２の開口面の周囲に配設された上述のブラシ部材２９ａ，２９ｂ，２９ｃ，２９ｄの先端と、面一又は略面一に配置されるように取り付けられる。上部車輪３１ａ及び下部車輪３１ｂは、回転可能なキャスター機構を備えており、ウォータージェット治具１０の前後左右の移動に追随して車輪３１ａ、３１ｂの方向を変えることで、ウォータージェット治具１０をコンクリート壁面２０に沿って安定した状態でスムーズにスライド移動させることができるようになっている。
【００４６】
さらに、本実施形態では、カバー体支持枠２４には、スライド基部２５に対してカバー体支持枠２４を、位置決めされた位置から所定のストロークで弾性的に進退可能に連結接続する位置決め間隔調整機構２６が設けられている。位置決め間隔調整機構２６は、本実施形態では、スライドガイド２８とエアシリンダー２７とによって構成される。
【００４７】
エアシリンダー２７は、例えば圧縮空気の作用によってピストンロッドを伸縮可能な公知のシリンダーである。エアシリンダー２７は、スライドガイド２８の内側に配置されて一対取り付けられる。エアシリンダー２７が設けられていることで、スライドガイド２８によってガイドさせつつ、カバー体１２を装着したカバー体支持枠２４を、コンクリート壁面２０に対して位置決めされた位置から弾性的に前後に進退させることができるようになっている。またこれによって、コンクリート壁面２０に傾斜や凹凸がある場合でも、好ましくはカバー体１２の先端のブラシ部材２９ａ，２９ｂ，２９ｃ，２９ｄをコンクリート壁面２０に接触させた状態を保持しつつ、ウォータージェット噴射ノズル１１をカバー体１２の内部に備えるウォータージェット治具１０を、コンクリート壁面２０の傾斜や凹凸に追随させながら、コンクリート壁面２０に沿って上下左右にスライド移動させることができるようになっている。
【００４８】
そして、上述の構成を備える本実施形態のウォータージェット治具１０によれば、コンクリートの表面を覆って塗布された防護剤や止水剤等のコーティング剤の劣化した塗膜や、コンクリートの表層部分を、例えば１００〜２５０ＭＰａ程度の高い圧力の高圧水で除去する場合でも、ウォータージェットによってコンクリート壁面２０を研掃する際に生じるミストがカバー体１２の外部へ飛散するのを効果的に防止することが可能になる。
【００４９】
すなわち、本実施形態によれば、ウォータージェット治具１０は、ウォータージェット噴射ノズル１１の周囲を囲むカバー体１２の下辺部分の側壁部５３に吸引口５１を接続して設けられた吸引装置５２を備えており、且つカバー体１２における少なくとも両側の側辺部分の側壁部５４，５４、及び上辺部分の側壁部５５は、内側壁５４ａ，５５ａ及び外側壁５４ｂ，５５ｂからなる２重壁構造を備えていて、これらの内側壁５４ａ，５５ａ及び外側壁５４ｂ，５５ｂの各先端部には、前方に突出するブラシ部材２９ａ，２９ｂが設けられていると共に、２重壁構造の間の部分には、一端部が吸引装置５２と接続する枝管５６の他端部が、補助吸引口５７として開口している。
【００５０】
したがって、内側壁５４ａ，５５ａや外側壁５４ｂ，５５ｂの先端部から前方に突出するブラシ部材２９ａ，２９ｂや、下辺部側壁６１や傾斜壁５８，５８の先端部から前方に突出するブラシ部材２９ｃ，２９ｄの先端を、コンクリート壁面２０に当接させた状態で、ウォータージェット噴射ノズル１１からウォータージェットを噴射しながらコンクリート壁面２０を研掃する際に、ブラシ部材２９ａ，２９ｂ，２９ｃ，２９ｄの突出する先端部を介して、外部からの空気をカバー体１２に取り込みつつ、カバー体１２の内部おいて下辺部分の側壁部５３に開口する吸引装置５２の吸引口５１に向う空気の流れを効率良く生じさせて、研掃によって生じた研掃屑や粉塵等を、ミストと共に効果的に吸引排出することが可能になる。
【００５１】
また、研掃時に生じたミストが、吸引口５１から離れた部分である、カバー体１２の両側の側辺部分の側壁部５４，５４や上辺部分の側壁部５５から外部へ飛散しようとしても、カバー体１２の側辺部分の側壁部５４，５４や上辺部分の側壁部５５は、先端部からブラシ部材２９ａ，２９ｂが前方に各々突出する、内側壁５４ａ，５５ａと外側壁５４ｂ，５５ｂとからなる２重壁構造を備えており、且つ２重壁構造の間の部分には、枝管５６の他端部が補助吸引口５７として開口しているので、内側壁５４ａ，５５ａの外側にミストが漏れ出たとしても、漏れ出たミストがさらに外側に流出するのを外側壁５４ｂ，５５ｂによって遮断すると共に、漏れ出たミストを補助吸引口５７から枝管５６を介して吸引装置５２によって吸引排出することが可能になり、これによって高い圧力の高圧水によるウォータージェットによりコンクリート壁面２０を研掃する場合でも、ミストがカバー体１２の外部へ飛散するのを効果的に防止することが可能になる。
【００５２】
さらに、本実施形態によれば、側辺部外側壁５４ｂ，５４ｂや上辺部外側壁５５ｂの先端部から前方に突出する外側ブラシ部材２９ｂの先端は、側辺部内側壁５４ａ，５４ａや上辺部内側壁５５ａの先端部から前方に突出する内側ブラシ部材２９ａの先端よりも、好ましくは１０〜２０ｍｍ程度の突出高さｈで前方に突出しているので、外側ブラシ部材２９ｂの先端が、内側ブラシ部材２９ａの先端よりも強くコンクリート壁面２０に押し当てられることになって、ミストがカバー体１２の外部へ飛散するのをさらに効果的に防止することが可能になる。
【００５３】
さらにまた、本実施形態によれば、カバー体１２における略矩形の正面形状の下辺部分の側壁部５３には、両側の側辺部分の側壁部５４，５４から吸引装置５２の吸引口５１の接続箇所に向けて各々斜めに延設する、傾斜壁５８，５８が設けられているので、この傾斜壁５８，５８を介して、研掃されて下方に落下する研掃屑や粉塵等を、傾斜壁５８，５８に沿って吸引口５１に向けて案内することにより、これらの研掃屑や粉塵等を、吸引装置５２によってスムーズに吸引排出することが可能になる。
【００５４】
なお、本発明は上記実施形態に限定されることなく種々の変更が可能である。例えば枝管の他端部は、側辺部分の側壁部や上辺部分の側壁部の２重壁構造の間の部分において、カバー体の開口面とは反対側の底部に開口している必要は必ずしもなく、２重壁構造の外側壁等に開口させることもできる。他端部が２重壁構造の間の部分に開口する枝管は、両側の側辺部分の側壁部及び上辺部分の側壁部に各々配置されて、３本設けられている必要は必ずしもなく、１本又は２本、或いは４本以上設けられていても良い。
【００５５】
また、カバー体の下辺部分の側壁部に、側辺部分の側壁部から吸引装置の吸引口の接続箇所に向けて斜めに延設する傾斜壁を設ける必要は必ずしも無い。カバー体の下辺部分の側壁部を構成する、下辺部側壁と傾斜壁との間の部分に枝管の他端部を補助吸引口として開口させて、これらの間の部分からもミストを吸引するようにすることもできる。
【符号の説明】
【００５６】
１０  ウォータージェット治具
１１  ウォータージェット噴射ノズル
１２  カバー体
１２ａ  カバー体本体部
１２ｂ  カバー体枠部
１３  コンクリート壁面研掃処理装置
１４  ベースマシン
２０  コンクリート壁面
２４  カバー体支持枠
２９ａ，２９ｂ，２９ｃ，２９ｄ  ブラシ部材
５１  吸引口
５２  吸引装置
５３  カバー体の下辺部分の側壁部
５４  カバー体の側辺部分の側壁部
５４ａ  側辺部内側壁
５４ｂ  側辺部外側壁
５５  カバー体の上辺部分の側壁部
５５ａ  上辺部内側壁
５５ｂ  上辺部外側壁
５６  枝管
５７  補助吸引口
５８  傾斜壁
５９  底板壁
６１  下辺部側壁
６２  接合プレート
６３  カバー体支持枠の底板
６５ａ，６５ｂ，６５ｃ，６５ｄ  挟込みプレート
【図１】
0005823272.tif 000002
【図２】
0005823272.tif 000003
【図３】
0005823272.tif 000004
【図４】
0005823272.tif 000005
【図５】
0005823272.tif 000006
【図６】
0005823272.tif 000007
【図７】
0005823272.tif 000008
【図８】
0005823272.tif 000009